(57)【要約】【課題】ハウジングの大きさがイヤーパッドの大きさに依存せず、ハウジングを設計する際の自由度を高めることが可能な、新規かつ改良された技術を提供する。【解決手段】ヘッドホン１は、電気信号を音波に変換して出力するドライバユニットを有するハウジング４と、内周部９ａから外周部９ｂにかけて厚みを有する略円環状をなすクッション部９と、クッション部９を覆い、ユーザによる装着時においてユーザの側頭部に接触する面である一端面に縫製の合わせ部分が形成され、一端面とは反対側の他端面のうち、クッション部９の内周側に突起部１０ａが形成された表皮部１０と、突起部１０ａを挟み込むリング部８１およびホルダ部８２と、ハウジング４の前面板６とホルダ部８とを取り付ける取り付け部７とを備える。【選択図】図４
2010062733.tif 000002
【特許請求の範囲】
【請求項１】
電気信号を音波に変換して出力するドライバユニットを有するハウジングと、
内周部から外周部にかけて厚みを有する略円環状をなすクッション部と、
前記クッション部を覆い、ユーザによる装着時において当該ユーザの側頭部に接触する面である一端面に縫製の合わせ部分が形成され、前記一端面とは反対側の他端面のうち、内周側に突起部が形成された表皮部と、
前記突起部を挟み込むリング部およびホルダ部と、
前記ハウジングの前面板と前記ホルダ部とを取り付ける取り付け部と、
を備えるヘッドホン。
【請求項２】
前記内周側は、
前記外周部からの距離よりも前記内周部からの距離のほうが近い位置である、
請求項１に記載のヘッドホン。
【請求項３】
前記取り付け部は、
取り付け用のツメ、バヨネット方式による取り付け部材、取り付け用のネジ、取り付け用のマグネット、溶着による取り付け部分のうち、少なくとも１つを含んで構成される、
請求項１に記載のヘッドホン。
【請求項４】
前記突起部は、
前記表皮部の縫製の合わせ部分によって構成される、
請求項１に記載のヘッドホン。
【請求項５】
前記突起部は、
前記表皮部よりも厚みのある生地が前記表皮部に溶着されて構成される、
請求項１に記載のヘッドホン。
【請求項６】
前記ドライバユニットは、
前記一端面よりも前記他端面に近い位置に配設される、
請求項１に記載のヘッドホン。
【発明の詳細な説明】
【技術分野】
【０００１】
本発明は、ヘッドホンに関する。詳しくは、ヘッドホンのイヤーパッドをハウジングの前面板に取り付ける技術に関する。
【背景技術】
【０００２】
従来、ユーザの頭部に装着され、耳に近接するスピーカを用いて、再生装置や受信機等から出力された電気信号を音波に変換する装置としてヘッドホンが開示されている（例えば、特許文献１参照）。
【０００３】
特許文献１に開示されたヘッドホンは、内部にスピーカユニットを有するハウジングと、そのハウジングの内面側に取り付けられ、柔軟性に富んだイヤーパッドとを備えて構成されている。ハウジングは、外形が略ドーム状を為す外殻部とその外殻部の一端側に設けられた円板状の取り付け部とから成り、外殻部と取り付け部との間に、周方向に伸びる取り付け溝が形成されている。
【０００４】
イヤーパッドは、例えば、ウレタン系の柔軟性に富むクッション部の一部が、例えば、合成皮革や布材料等によって形成された表皮部によって覆われて成り、ハウジングの取り付け部に取り付けられる。表皮部は、覆い部と被取り付け部とが縫合されて成る。
【０００５】
覆い部は、外形が円形状の浅い容器状を為している。被取り付け部は、リング状の周面部と該周面部の一端から内方へ突出されたフランジ状の挿入部とから成り、周面部の他端部が覆い部の開口縁部と縫合されている。縫合の合わせ部分はハウジングに近い箇所に作成され、その合わせ部分の返しの生地が挿入部となる。
【０００６】
クッション部を表皮部内に挿入した状態において、表皮部の挿入部をハウジングの取り付け溝内に挿入して、イヤーパッドをハウジングに取り付ける。この場合に、一定以上の取り付け強度を確保するために、挿入部における取り付け溝に挿入される部分を一定量以上確保しなければならない。また、挿入部を取り付け溝から取り出すことにより、ハウジングからイヤーパッドを取り外すことができる。
【０００７】
【特許文献１】特開２００１−１９７５８１号公報
【発明の開示】
【発明が解決しようとする課題】
【０００８】
しかしながら、特許文献１に開示された技術によれば、イヤーパッドを大きくするに従って、ハウジングも大きくなってしまい、ハウジングを設計する際の自由度が小さいという問題がある。
【０００９】
本発明は、上記問題に鑑みてなされたものであり、本発明の目的とするところは、ハウジングの大きさがイヤーパッドの大きさに依存せず、ハウジングを設計する際の自由度を高めることが可能な、新規かつ改良された技術を提供することにある。
【課題を解決するための手段】
【００１０】
上記目的を達成するために、本発明のある観点によれば、電気信号を音波に変換して出力するドライバユニットを有するハウジングと、内周部から外周部にかけて厚みを有する略円環状をなすクッション部と、クッション部を覆い、ユーザによる装着時においてユーザの側頭部に接触する面である一端面に縫製の合わせ部分が形成され、一端面とは反対側の他端面のうち、内周側に突起部が形成された表皮部と、突起部を挟み込むリング部およびホルダ部と、ハウジングの前面板とホルダ部とを取り付ける取り付け部と、を備えるヘッドホンが提供される。
【００１１】
上記した内周側は、外周部からの距離よりも内周部からの距離のほうが近い位置であることとすることとしてもよい。
【００１２】
上記した取り付け部は、取り付け用のツメ、バヨネット方式による取り付け部材、取り付け用のネジ、取り付け用のマグネット、溶着による取り付け部分のうち、少なくとも１つを含んで構成されることとしてもよい。
【００１３】
上記した突起部は、表皮部の縫製の合わせ部分によって構成されることとしてもよい。
【００１４】
上記した突起部は、表皮部よりも厚みのある生地が表皮部に溶着されて構成されることとしてもよい。
【００１５】
上記したドライバユニットは、一端面よりも他端面に近い位置に配設されることとしてもよい。
【発明の効果】
【００１６】
本発明によれば、ハウジングの大きさがイヤーパッドの大きさに依存せず、ハウジングを設計する際の自由度を高めることが可能となる。
【発明を実施するための最良の形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。なお、説明は以下の順序で行う。
【００１８】
１．    一般的なヘッドホンの概要
２．    本実施形態に係るヘッドホンの概要
３．    本実施形態に係るヘッドホン本体の構成
４．    本実施形態に係るイヤーパッドの構成
５．    本実施形態に係るイヤーパッドの詳細
６．    本実施形態に係るイヤーパッドの前面板への取り付け
７．    本実施形態の変形例
８．    本実施形態に係るヘッドホンの装着
９．    本実施形態による効果
【００１９】
一般的なヘッドホンの概要］
図１は、一般的なヘッドホンの概略正面図である。図２は、一般的なヘッドホンの分解斜視図であり、図２（ａ）は、ハウジングの前面板にイヤーパッドを取り付ける前の状態を示す図、図２（ｂ）は、ハウジングの前面板にイヤーパッドを取り付けた後の状態を示す図である。図１および図２を参照して、一般的なヘッドホンの概要について説明する。
【００２０】
図１に示すように、一般的なヘッドホン９０は、一対のヘッドホン本体９２、９２と、ヘッドバンド９３とを備えている。ヘッドホン本体９２、９２は、それぞれハウジング９４と、ハウジング９４の内面側に取り付けられた柔軟性に富むイヤーパッド９５とを有している。ここで、内面側は、ユーザによるヘッドホン９０の装着時においてユーザの側頭部に近い側を意味し、外面側は内面側と反対側であってユーザの側頭部から遠い側を意味するものとする。
【００２１】
ヘッドバンド９３は、上方に凸になるように湾曲され、可撓性および弾性を有し、両端部が互いに近づく方向に対する弾発力を有するバネ部材として設けられている。
【００２２】
ハウジング９４は、電気信号を音波に変換して出力するドライバユニット（不図示）を内部に有する。図２（ａ）上図に示すように、ハウジング９４の内面側には、周方向に伸びる取り付け溝９４ａが形成されている。
【００２３】
イヤーパッド９５は、柔軟性に富むクッション部（不図示）の一部が、表皮部１００によって覆われてなる。表皮部１００は、覆い部１１１と、被取り付け部１１２との境目が縫合されてなる。図２（ａ）下図に示すように、被取り付け部１１２は、フランジ状の挿入部１１２ａを有し、挿入部１１２ａをハウジング９４の取り付け溝９４ａに挿入することによって、イヤーパッド９５をハウジング９４に取り付けることが可能にされている。取り付けた状態が、図２（ｂ）に示されている。また、挿入部１１２ａを取り付け溝９４ａから取り出すことによって、ハウジング９４からイヤーパッド９５を取り出すことが可能にされている。
【００２４】
このように、一般的なヘッドホン９０のイヤーパッド（イヤークッション）９５では、図１および図２に示したように、イヤーパッド９５側のフランジ（挿入部１１２ａ）をヘッドホン９０のハウジング９４側の溝（取り付け溝９４ａ）に挿入して固定する。これによると、イヤーパッド９５の外周側にフランジをつけることになるため、ハウジング９４をイヤーパッド９５より小さくすることが困難である。ハウジング９４を小さくすると、イヤーパッド９５側のフランジを引っ掛けるためのハウジング９４側のツバが大きくなってしまうという問題がある。また、イヤーパッド９５側のフランジの幅に限界があり、フランジの内周端が見えてしまい不恰好になるという問題もある。また、イヤーパッド９５側のフランジの生地は、軟らかいことが多く、引っ張りに対する強度が低いという問題もある。一般的なヘッドホン９０では、イヤーパッド９５に対して１ｋｇｆ（＝９．８Ｎ）以下の力で引っ張るとハウジング９４から外れることが本願の出願人らによって確認されている。
【００２５】
本実施形態によれば、イヤーパッド９５のツバを内周側に配置することでリング状の別部品でツバを挟み込むことが可能になり、イヤーパッド９５を外れにくくすることが可能となる。ハウジング９４をイヤーパッド９５に比較して小さくすることが可能となる。
【００２６】
本実施形態に係るヘッドホンの概要］
図３は、本実施形態に係るヘッドホンの概略正面図である。図３を参照して、本実施形態に係るヘッドホンの概要について説明する。
【００２７】
図３に示すように、本実施形態に係るヘッドホン１は、一対のヘッドホン本体２、２と、ヘッドバンド３とを備えている。ヘッドホン本体２、２は、それぞれハウジング４と、ハウジング４の内面側に取り付けられた柔軟性に富むイヤーパッド５とを有している。ここで、内面側は、ユーザによるヘッドホン１の装着時においてユーザの側頭部に接触する面である一端面を意味し、外面側は内面側と反対側であってユーザの側頭部から遠い側を意味するものとする。
【００２８】
ヘッドバンド３は、上方に凸になるように湾曲され、可撓性および弾性を有し、両端部が互いに近づく方向に対する弾発力を有するバネ部材として設けられている。
【００２９】
ハウジング４は、電気信号を音波に変換して出力するドライバユニット（不図示）を内部に有する。なお、本実施形態においては、ドライバユニット（不図示）が組み込まれた前面板６がハウジング４に取り付けられることとするが、ドライバユニット（不図示）は、ハウジング４に直接組み込まれることとしてもよい。
【００３０】
イヤーパッド５は、柔軟性に富むクッション部９（図４参照）の全部または一部が、表皮部１０によって覆われてなる。表皮部１０は、人体接触部１１と、覆い部１２との境目が縫合されてなる。内面側（例えば、内面側の外周側）に縫製の合わせ部分が形成されている。イヤーパッド５は、ハウジング４に取り付けることが可能にされており、ハウジング４から取り出すことが可能にされている。
【００３１】
本実施形態に係るヘッドホン本体の構成］
図４は、本実施形態に係るハウジングおよびイヤーパッドの分解斜視図である。図４を参照して、本実施形態に係るハウジングおよびイヤーパッドの構成について説明する。
【００３２】
図４に示すように、クッション部９は、内周部９ａから外周部９ｂにかけて厚みを有する略円環状（ドーナツ状）をなすものである。クッション部９は、例えば、ウレタン系の柔軟性に富む素材によって構成されている。
【００３３】
表皮部１０は、突起部１０ａを有している。表皮部１０は、例えば、合成皮革や布材料等によって構成されている。また、表皮部１０は、クッション部９を覆うように構成される。
【００３４】
突起部１０ａは、表皮部１０の外面側に形成されており、クッション部９が表皮部１０に挿入されている状態におけるクッション部９の内周側に形成されている。ここでいう内周側とは、外周部９ｂからの距離よりも内周部９ａからの距離のほうが近い位置を表すものであり、例えば、内周部９ａからの距離が１ｃｍ以内の位置である。突起部１０ａは、表皮部１０の縫製の合わせ部分によって構成されることとしてもよい。これによれば、表皮部１０の合わせの最終工程を内周側で行っても、その最終工程で生成された縫製の合わせ部分がハウジング４に隠れるので、美観性を気にする必要がなくなる。また、突起部１０ａは、表皮部１０とは別の生地によって構成され、その生地が表皮部１０に溶着されて構成されることとしてもよい。また、その生地は、表皮部１０よりも厚みがあることが好ましい。
【００３５】
取り付けプラグ４１は、ハウジング４の一部を覆うように被せられ、ハウジング４の保護、美観性の向上等に使用される。
【００３６】
前面板６は、ネジ６１等（例えば、ビス等）によってハウジング４に取り付けられるものである。前面板６には、ドライバユニット（不図示）が組み込まれている。
【００３７】
リング部８１は、突起部１０ａを挟み込む部材のひとつである。リング部８１は、リング状の形状を有することとすることができるが、突起部１０ａを挟み込むことが可能な形状であれば限定されるものではない。リング部８１は、例えば、表皮部１０よりも強度の高い樹脂等によって構成される。
【００３８】
ホルダ部８２は、突起部１０ａを挟み込む部材のひとつである。ホルダ部８２は、リング状の形状を有することとすることができるが、突起部１０ａを挟み込むことが可能な形状であれば限定されるものではない。リング部８１およびホルダ部８２が、リング状の形状を有する場合には、例えば、リング部８１の内周側とホルダ部８２の外周側とによって、突起部１０ａを挟み込む構成とすることが可能である。リング部８１の外周側とホルダ部８２の内周側とによって、突起部１０ａを挟み込む構成とすることも可能である。ホルダ部８２は、例えば、表皮部１０よりも強度の高い樹脂等によって構成される。
【００３９】
ホルダ部８２は、クッション部９と表皮部１０の間に滑り込ませることが可能にされたツバ８２ａを有することとしてもよい。これによれば、リング部８１およびホルダ部８２によって突起部１０ａを挟み込む作業が容易となり、イヤーパッド５を前面板６に取り付ける作業も容易となる。
【００４０】
ホルダ部８２は、ツメ８２ｂを有することとしてもよい。これによれば、リング部８１が、ツメ８２ｂによって外れにくい構造とすることができる。ツメ８２ｂの数は、イヤーパッド５の大きさや、イヤーパッド５を前面板６に取り付ける際の取付け強度等によって、増減可能である。
【００４１】
取り付け部７は、ハウジング４の前面板６とホルダ部８２とを取り付けるものである。図４に示した例では、取り付け部７は、取り付け用のネジ７１およびバヨネット方式による取り付け部材７２によって構成されることとしている。この場合には、取り付け用のネジ７１が差し込まれる穴（不図示）が前面板６に形成され、バヨネット方式による取り付け部材７２部材（不図示）が前面板６にされる。
【００４２】
図４に示した例では、取り付け部７は、取り付け用のネジ７１およびバヨネット方式による取り付け部材７２によって構成されることとしているが、これに限定されない。例えば、取り付け部７は、取り付け用のツメ、バヨネット方式による取り付け部材７２、取り付け用のネジ７１、取り付け用のマグネット、溶着による取り付け部分のうち、少なくとも１つを含んで構成されることとしてもよい。また、取り付け用のネジ７１（ビス等）が、ハウジング４側からクッション部９側に向けて差し込まれ、止められる構造とすることも可能である。
【００４３】
また、図４に示した例では、取り付け部７は、取り付け用のネジ７１が３つ、バヨネット方式による取り付け部材７２が１つ形成されているが、取り付け部７はいくつ形成されることとしてもよい。
【００４４】
本実施形態に係るイヤーパッドの構成］
図５は、本実施形態に係るイヤーパッドの斜視図である。図５を参照して（適宜図４参照）、本実施形態に係るイヤーパッドの構成について説明する。
【００４５】
図５に示すように、表皮部１０にクッション部９が挿入された状態で、突起部１０ａがリング部８１とホルダ部８２とによって挟み込まれている。この状態では、図５に示したように、突起部１０ａが見えないようにすることも可能である。
【００４６】
本実施形態に係るイヤーパッドの詳細］
図６は、図５に示したＩ線に沿った断面図であり、図６（ａ）は、図５に示したＩ線に沿ったイヤーパッド５全体の断面図、図６（ｂ）は、図６（ａ）に示したＡの拡大図である。図６を参照して、本実施形態に係るイヤーパッドの詳細について説明する。
【００４７】
図６（ａ）に示すように、人体接触部１１と覆い部１２とが縫合されることで、縫製の合わせ部分１３が形成されている。
【００４８】
図６（ｂ）に示した例では、リング部８１の内周側とホルダ部８２の外周側とによって、突起部１０ａを挟み込む構成となっている。また、ホルダ部８２は、ツバ８２ａを有する構成となっている。ツバ８２ａは、クッション部９と表皮部１０の間に滑り込ませることが可能にされている。また、図６（ｂ）に示した例では、ホルダ部８２は、ツメ８２ｂを有する構成となっている。
【００４９】
本実施形態に係るイヤーパッドの前面板への取り付け］
図７は、本実施形態のイヤーパッドの前面板への取り付けを示す斜視図である。図８は、本実施形態のイヤーパッドの前面板への取り付けの詳細を示す斜視図であり、図８（ａ）は、イヤーパッドを前面板に合わせる前、図８（ｂ）は、イヤーパッドを前面板に合わせた後、図８（ｃ）は、イヤーパッドを前面板に取り付けた後の様子を示す図である。図７および図８を参照して、本実施形態に係るイヤーパッドの前面板への取り付けについて説明する。
【００５０】
図７に示した例では、取り付け部７は、取り付け用のネジ７１およびバヨネット方式による取り付け部材７２によって構成されることとしている。前面板６にもバヨネット方式による取り付け部材７２が形成されている。
【００５１】
図８（ａ）に示した例では、ホルダ部８２の見やすさを考慮し、表皮部１０が仮想線によって示されている。
【００５２】
図８（ｂ）に示した例では、バヨネット方式による取り付けの見やすさを考慮し、表皮部１０およびネジ７１が省略されている。
【００５３】
図８（ｃ）に示した例では、バヨネット方式による取り付けの見やすさを考慮し、表皮部１０およびネジ７１が省略されている。図８（ｃ）には、図８（ｂ）に示した状態から、（図８（ｂ）を正面から見て）ホルダ部８２を時計回りに回転させることで、バヨネット方式による取り付けが完了されている様子が示されている。
【００５４】
本実施形態の変形例］
ヘッドホン１は、ネックバンドタイプ、それ以外のあらゆる装着タイプのヘッドホンに応用可能である。
【００５５】
本実施形態に係るヘッドホンの装着］
図９は、本実施形態に係るヘッドホンの装着時の様子を示す図である。図９を参照して、本実施形態に係るヘッドホンの装着時の様子について説明する。
【００５６】
図９は、特に、ヘッドホン１がユーザの左耳に装着されている様子を、ユーザの顔を正面として示したものである。図９に示すように、ハウジング４の大きさがイヤーパッド５の大きさに依存せず、ハウジング４の半径を小さくすることができる。また、縫製の合わせ部分１３を、ユーザによるヘッドホン９０の装着時においてユーザの側頭部に接触する面に形成することによって、稜線５１（縫製の合わせ部分１３の外側部分）をはっきりさせることができる。
【００５７】
図９に示したように、ドライバユニット４２は、例えば、一端面（ユーザによるヘッドホン１の装着時においてユーザの側頭部に接触する面）よりも他端面（一端面とは反対側の面）に近い位置に配設されることとすることができる。
【００５８】
［９．本実施形態による効果］
本実施形態によれば、下記に示す効果が得られる。
【００５９】
縫製の合わせ部分を、ユーザによるヘッドホン９０の装着時においてユーザの側頭部に接触する面に形成することによって、稜線５１をはっきりさせることができ、耳介２０のイヤーパッド５による密閉度を高めることができる。特に、重低音に対する音漏れを防止することができる。
【００６０】
イヤーパッド５をハウジング４の外径に影響されず設定できるため、ハウジング４の外径よりも大きな（または小さな）イヤーパッド５をつけることができ、意匠（ハウジング４の設計）の自由度が増す。イヤーパッド５を大きくするためにヘッドホン本体２のハウジング４を大きくする必要がないので軽量化が可能である。
【００６１】
イヤーパッド５をハウジング４の外径よりも大きくすることで、ユーザがヘッドホン１を装着した際に、イヤーパッド５がハウジング４の支え面より外側に膨らむこととなる。これによって、耳介２０の外周（もっとも立っている部分）に対する負荷を軽減し、耳乗せタイプのヘッドホン１であっても柔らかな装着感を得ることができる。イヤーパッド５の外周をハウジング４の外径より大きくできるので、イヤーパッド５内部のウレタンフォームの幅（外周と内周の差）も大きくできる。このため、ウレタンフォームを厚くすることが可能となる。ウレタンフォームの幅が小さいと、ウレタンフォームを厚くすることで変形しやすく、形状を維持できない。
【００６２】
イヤーパッド５にウレタンフォーム及びホルダ部８を組んだ状態（図５に示した状態）をイヤークッションＡＳＳＹとし、イヤークッションＡＳＳＹの前面板６に対する取り付けがツメ等の取り付け部７によって可能となる。これによって、クッション部９や表皮部１０の付け替えの際の取り付け・取り外しが容易になる。
【００６３】
一般的なヘッドホン９０と比較して、本実施形態に係るヘッドホン１の前面板６に対する取り付け強度が増す。一般的なヘッドホン９０では、イヤーパッド９５に対して１ｋｇｆ（＝９．８Ｎ）以下の力で引っ張るとハウジング９４から外れることが本願の出願人らによって確認できた。それに対し、本実施形態に係るヘッドホン１では、イヤーパッド５に対して３ｋｇｆ（＝２９．４Ｎ）の力を加えて引っ張ってもハウジング４から外れないことが本願の出願人らによって確認できた。
【００６４】
上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６５】
【図１】一般的なヘッドホンの概略正面図である。
【図２】一般的なヘッドホンの分解斜視図であり、図２（ａ）は、ハウジングの前面板にイヤーパッドを取り付ける前の状態を示す図、図２（ｂ）は、ハウジングの前面板にイヤーパッドを取り付けた後の状態を示す図である。
【図３】本実施形態に係るヘッドホンの概略正面図である。
【図４】本実施形態に係るハウジングおよびイヤーパッドの分解斜視図である。
【図５】本実施形態に係るイヤーパッドの斜視図である。
【図６】図５に示したＩ線に沿った断面図であり、図６（ａ）は、図５に示したＩ線に沿ったイヤーパッド５全体の断面図、図６（ｂ）は、図６（ａ）に示したＡの拡大図である。
【図７】本実施形態のイヤーパッドの前面板への取り付けを示す斜視図である。
【図８】本実施形態のイヤーパッドの前面板への取り付けの詳細を示す斜視図であり、図８（ａ）は、イヤーパッドを前面板に合わせる前、図８（ｂ）は、イヤーパッドを前面板に合わせた後、図８（ｃ）は、イヤーパッドを前面板に取り付けた後の様子を示す図である。
【図９】本実施形態に係るヘッドホンの装着時の様子を示す図である。
【符号の説明】
【００６６】
１      ヘッドホン
２      ヘッドホン本体
３      ヘッドバンド
４      ハウジング
５      イヤーパッド
６      前面板
７      取り付け部
８      ホルダ部
９      クッション部
９ａ    内周部
９ｂ    外周部
１０    表皮部
１０ａ  突起部
１１    人体接触部
１２    覆い部
１３    縫製の合わせ部分
２０    耳介
４１    取り付けプラグ
４２    ドライバユニット
５１    稜線
６１    ネジ
７１    取り付け用のネジ
７２    バヨネット方式による取り付け部材
【図１】
2010062733.tif 000003
【図２】
2010062733.tif 000004
【図３】
2010062733.tif 000005
【図４】
2010062733.tif 000006
【図５】
2010062733.tif 000007
【図６】
2010062733.tif 000008
【図７】
2010062733.tif 000009
【図８】
2010062733.tif 000010
【図９】
2010062733.tif 000011